【手続補正書】
【提出日】平成29年3月31日(2017.3.31)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）によるワイヤレス通信のための方法であって、
サブフレームのセット内で、方向が動的に適応され得ない１つ以上の固定サブフレームと、方向が動的に適応され得る１つ以上のフレキシブルサブフレームとを識別することと、
前記１つ以上のフレキシブルサブフレーム中の少なくとも１つのサブフレームについての構造が、マルチメディアブロードキャスト単一周波数ネットワーク（ＭＢＳＦＮ）サブフレームに基づくことを決定することと、
前記決定に基づいて、前記１つ以上のフレキシブルサブフレーム中の前記少なくとも１つのサブフレームを処理することと、
を備える、方法。
【請求項２】
サブフレーム方向の前記動的な適応は、ダウンリンクサブフレーム、アップリンクサブフレーム、または特殊サブフレームのうちの１つから選ばれるサブフレーム方向を、ダウンリンクサブフレーム、アップリンクサブフレーム、または特殊サブフレームのうちの１つから選ばれる異なるサブフレーム方向へと変更することを含む、請求項１に記載の方法。
【請求項３】
前記１つ以上の固定サブフレームと前記１つ以上のフレキシブルサブフレームとを前記識別することは、ブロードキャストシグナリングとＵＥ固有のシグナリングとのうちの少なくとも１つに基づく、請求項１に記載の方法。
【請求項４】
前記ＭＢＳＦＮサブフレームは、少なくとも１つのセル固有の基準信号（ＣＲＳ）を搬送するレガシー制御領域、および前記ＣＲＳを搬送しない非制御領域を備える、請求項１に記載の方法。
【請求項５】
ダウンリンク送信についてＵＥ固有の復調基準信号（ＤＭ−ＲＳ）を利用するダウンリンク送信モードを決定することをさらに備える、請求項１に記載の方法。
【請求項６】
物理ダウンリンク共有チャネル（ＰＤＳＣＨ）または改良された物理ダウンリンク制御チャネル（ＥＰＤＣＣＨ）のうちの少なくとも１つに関して、前記１つ以上のフレキシブルサブフレーム中の前記少なくとも１つのサブフレーム中の開始シンボルを決定することをさらに備える、請求項１に記載の方法。
【請求項７】
前記１つ以上のフレキシブルサブフレームは、少なくとも２つの異なるサブフレームのタイプを備え、ここにおいて、１つのサブフレームのタイプは、前記１つ以上のフレキシブルサブフレームにあるようなセル固有の基準信号（ＣＲＳ）を有し、および別のサブフレームのタイプは、低減されたＣＲＳを有するかまたはＣＲＳを有さない、請求項１に記載の方法。
【請求項８】
ユーザ装置（ＵＥ）であって、先行する請求項１−７のいずれかにしたがって方法を実行するために適応される、ＵＥ。
【請求項９】
基地局（ＢＳ）によるワイヤレス通信のための方法であって、
サブフレームのセット内で、方向が動的に適応され得ない１つ以上の固定サブフレームと、方向が動的に適応され得る１つ以上のフレキシブルサブフレームとを識別することと、
前記１つ以上のフレキシブルサブフレーム中の少なくとも１つのサブフレームについての構造が、マルチメディアブロードキャスト単一周波数ネットワーク（ＭＢＳＦＮ）サブフレームに基づくことを決定することと、
前記決定に基づいて、前記１つ以上のフレキシブルサブフレーム中の前記少なくとも１つのサブフレームを処理することと、
を備える、方法。
【請求項１０】
サブフレーム方向の前記動的な適応は、ダウンリンクサブフレーム、アップリンクサブフレーム、または特殊サブフレームのうちの１つから選ばれるサブフレーム方向を、ダウンリンクサブフレーム、アップリンクサブフレーム、または特殊サブフレームのうちの１つから選ばれる異なるサブフレーム方向へと変更することを含む、請求項９に記載の方法。
【請求項１１】
前記サブフレームのセット内で、前記１つ以上の固定サブフレームと前記１つ以上のフレキシブルサブフレームとを識別するシグナリングを送信することをさらに備える、請求項９に記載の方法。
【請求項１２】
前記ＭＢＳＦＮサブフレームは、少なくとも１つのセル固有の基準信号（ＣＲＳ）を搬送するレガシー制御領域、および前記ＣＲＳを搬送しない非制御領域を備える、請求項９に記載の方法。
【請求項１３】
ダウンリンク送信についてＵＥ固有の復調基準信号（ＤＭ−ＲＳ）を利用するダウンリンク送信モードを決定することをさらに備える、請求項９に記載の方法。
【請求項１４】
物理ダウンリンク共有チャネル（ＰＤＳＣＨ）または改良された物理ダウンリンク制御チャネル（ＥＰＤＣＣＨ）のうちの少なくとも１つに関して、前記１つ以上のフレキシブルサブフレーム中の前記少なくとも１つのサブフレーム中の開始シンボルを決定することをさらに備える、請求項９に記載の方法。
【請求項１５】
基地局（ＢＳ）であって、先行する請求項９−１４のいずれかにしたがって方法を実行するために適応される、ＢＳ。
【手続補正２】
【補正対象書類名】明細書
【補正対象項目名】０１２５
【補正方法】変更
【補正の内容】
【０１２５】
[0141]  本開示の先の説明は、如何なる当業者も本開示を製造するまたは使用できるように提供されている。本開示への様々な修正は、当業者にとって容易に明らかであろうし、ここに定義された一般的な原理は、本開示の精神または範囲から逸脱することなく、他のバリエーションにも適用され得る。したがって、本開示は、ここに説明された例および設計に限定されるようには意図されておらず、ここに開示された原理および新規な特徴と一致する最も広い範囲を与えられるべきである。
以下に、本願出願の当初の特許請求の範囲に記載された発明を付記する。
［Ｃ１］
ユーザ装置（ＵＥ）によるワイヤレス通信のための方法であって、
あるサブフレームのセット内で、それらの方向が動的に適応されない可能性がある１つ以上の固定サブフレームと、それらの方向が動的に適応され得る１つ以上のフレキシブルサブフレームとを識別することと、
前記１つ以上のフレキシブルサブフレーム中の少なくとも１つのサブフレームについての構造が、マルチメディアブロードキャスト単一周波数ネットワーク（ＭＢＳＦＮ）サブフレームに基づくことを決定することと、
前記決定に基づいて、前記１つ以上のフレキシブルサブフレーム中の前記少なくとも１つのサブフレームを処理することと、
を備える、方法。
［Ｃ２］
サブフレーム方向の前記動的な適応は、ダウンリンクサブフレーム、アップリンクサブフレーム、または特殊サブフレームのうちの１つから選ばれるあるサブフレーム方向を、ダウンリンクサブフレーム、アップリンクサブフレーム、または特殊サブフレームのうちの１つから選ばれる異なるサブフレーム方向へと変更することを含む、Ｃ１に記載の方法。
［Ｃ３］
前記１つ以上の固定サブフレームと前記１つ以上のフレキシブルサブフレームとを前記識別することは、ブロードキャストシグナリングとＵＥ固有のシグナリングとのうちの少なくとも１つに基づく、Ｃ１に記載の方法。
［Ｃ４］
前記決定は、前記ＵＥに固有のシグナリングに基づく、Ｃ１に記載の方法。
［Ｃ５］
前記ＭＢＳＦＮサブフレームは、少なくとも１つのセル固有の基準信号（ＣＲＳ）を搬送するレガシー制御領域、および前記ＣＲＳを搬送しない非制御領域を備える、Ｃ１に記載の方法。
［Ｃ６］
ダウンリンク送信についてＵＥ固有の復調基準信号（ＤＭ−ＲＳ）を利用するダウンリンク送信モードを決定することをさらに備える、Ｃ１に記載の方法。
［Ｃ７］
物理ダウンリンク共有チャネル（ＰＤＳＣＨ）または改良された物理ダウンリンク制御チャネル（ＥＰＤＣＣＨ）のうちの少なくとも１つに関して、前記１つ以上のフレキシブルサブフレーム中の前記少なくとも１つのサブフレーム中の開始シンボルを決定することをさらに備える、Ｃ１に記載の方法。
［Ｃ８］
前記１つ以上のフレキシブルサブフレームは、少なくとも２つの異なるサブフレームのタイプを備え、ここにおいて、１つのサブフレームのタイプは、前記１つ以上のフレキシブルサブフレームにあるようなセル固有の基準信号（ＣＲＳ）を有し、および別のサブフレームのタイプは、低減されたＣＲＳを有するかまたはＣＲＳを有さない、Ｃ１に記載の方法。
［Ｃ９］
基地局（ＢＳ）によるワイヤレス通信のための方法であって、
あるサブフレームのセット内で、それらの方向が動的に適応されない可能性がある１つ以上の固定サブフレームと、それらの方向が動的に適応され得る１つ以上のフレキシブルサブフレームとを識別することと、
前記１つ以上のフレキシブルサブフレーム中の少なくとも１つのサブフレームについての構造が、マルチメディアブロードキャスト単一周波数ネットワーク（ＭＢＳＦＮ）サブフレームに基づくことを決定することと、
前記決定に基づいて、前記１つ以上のフレキシブルサブフレーム中の前記少なくとも１つのサブフレームを処理することと、
を備える、方法。
［Ｃ１０］
サブフレーム方向の前記動的な適応は、ダウンリンクサブフレーム、アップリンクサブフレーム、または特殊サブフレームのうちの１つから選ばれるあるサブフレーム方向を、ダウンリンクサブフレーム、アップリンクサブフレーム、または特殊サブフレームのうちの１つから選ばれる異なるサブフレーム方向へと変更することを含む、Ｃ９に記載の方法。
［Ｃ１１］
前記サブフレームのセット内で、前記１つ以上の固定サブフレームと前記１つ以上のフレキシブルサブフレームとを識別するシグナリングを送信することをさらに備える、Ｃ９に記載の方法。
［Ｃ１２］
前記１つ以上のフレキシブルサブフレーム中の前記少なくとも１つのサブフレームについての前記構造が、前記ＭＢＳＦＮサブフレームに基づくことを示すＵＥ固有のシグナリングを送信することをさらに備える、Ｃ９に記載の方法。
［Ｃ１３］
前記ＭＢＳＦＮサブフレームは、少なくとも１つのセル固有の基準信号（ＣＲＳ）を搬送するレガシー制御領域、および前記ＣＲＳを搬送しない非制御領域を備える、Ｃ９に記載の方法。
［Ｃ１４］
ダウンリンク送信についてＵＥ固有の復調基準信号（ＤＭ−ＲＳ）を利用するダウンリンク送信モードを決定することをさらに備える、Ｃ９に記載の方法。
［Ｃ１５］
物理ダウンリンク共有チャネル（ＰＤＳＣＨ）または改良された物理ダウンリンク制御チャネル（ＥＰＤＣＣＨ）のうちの少なくとも１つに関して、前記１つ以上のフレキシブルサブフレーム中の前記少なくとも１つのサブフレーム中の開始シンボルを決定することをさらに備える、Ｃ９に記載の方法。
［Ｃ１６］
ワイヤレス通信のための装置であって、
あるサブフレームのセット内で、それらの方向が動的に適応されない可能性がある１つ以上の固定サブフレームと、それらの方向が動的に適応され得る１つ以上のフレキシブルサブフレームとを識別することと、
前記１つ以上のフレキシブルサブフレーム中の少なくとも１つのサブフレームについての構造は、マルチメディアブロードキャスト単一周波数ネットワーク（ＭＢＳＦＮ）サブフレームに基づくことを決定することと、
前記決定に基づいて、前記１つ以上のフレキシブルサブフレーム中の前記少なくとも１つのサブフレームを処理することと、
を行うように構成される、プロセッサと、
前記プロセッサに結合されたメモリと
を備える、装置。
［Ｃ１７］
サブフレーム方向の前記動的な適応は、ダウンリンクサブフレーム、アップリンクサブフレーム、または特殊サブフレームのうちの１つから選ばれるあるサブフレーム方向を、ダウンリンクサブフレーム、アップリンクサブフレーム、または特殊サブフレームのうちの１つから選ばれる異なるサブフレーム方向へと変更することを含む、Ｃ１６に記載の装置。
［Ｃ１８］
前記１つ以上の固定サブフレームと前記１つ以上のフレキシブルサブフレームとを前記識別することは、ブロードキャストシグナリングとＵＥ固有のシグナリングとのうちの少なくとも１つに基づく、Ｃ１６に記載の装置。
［Ｃ１９］
前記決定は、ＵＥに固有のシグナリングに基づく、Ｃ１６に記載の装置。
［Ｃ２０］
前記ＭＢＳＦＮサブフレームは、少なくとも１つのセル固有の基準信号（ＣＲＳ）を搬送するレガシー制御領域、および前記ＣＲＳを搬送しない非制御領域を備える、Ｃ１６に記載の装置。
［Ｃ２１］
前記プロセッサは、ダウンリンク送信についてＵＥ固有の復調基準信号（ＤＭ−ＲＳ）を利用するダウンリンク送信モードを決定するようにさらに構成される、Ｃ１６に記載の装置。
［Ｃ２２］
前記プロセッサは、物理ダウンリンク共有チャネル（ＰＤＳＣＨ）または改良された物理ダウンリンク制御チャネル（ＥＰＤＣＣＨ）のうちの少なくとも１つに関して、前記１つ以上のフレキシブルサブフレーム中の前記少なくとも１つのサブフレーム中の開始シンボルを決定するようにさらに構成される、Ｃ１６に記載の装置。
［Ｃ２３］
前記１つ以上のフレキシブルサブフレームは、少なくとも２つの異なるサブフレームのタイプを備え、ここで、１つのサブフレームのタイプは、前記１つ以上のフレキシブルサブフレームにあるようなセル固有の基準信号（ＣＲＳ）を有し、および別のサブフレームのタイプは、低減されたＣＲＳを有するかまたはＣＲＳを有さない、Ｃ１６に記載の装置。
［Ｃ２４］
ワイヤレス通信のための装置であって、
あるサブフレームのセット内で、それらの方向が動的に適応されない可能性がある１つ以上の固定サブフレームと、アップリンク通信またはダウンリンク通信の何れか一方のために動的に管理され得る１つ以上のフレキシブルサブフレームとを識別することと、
前記１つ以上のフレキシブルサブフレーム中の少なくとも１つのサブフレームについての構造が、マルチメディアブロードキャスト単一周波数ネットワーク（ＭＢＳＦＮ）サブフレームに基づくことを決定することと、
前記決定に基づいて、前記１つ以上のフレキシブルサブフレーム中の前記少なくとも１つのサブフレームを処理することと、
を行うように構成される、プロセッサと、
前記プロセッサに結合されたメモリと
を備える、装置。
［Ｃ２５］
サブフレーム方向の前記動的な適応は、ダウンリンクサブフレーム、アップリンクサブフレーム、または特殊サブフレームのうちの１つから選ばれるあるサブフレーム方向を、ダウンリンクサブフレーム、アップリンクサブフレーム、または特殊サブフレームのうちの１つから選ばれる異なるサブフレーム方向へと変更することを含む、Ｃ２４に記載の装置。
［Ｃ２６］
前記プロセッサは、前記サブフレームのセット内で、前記１つ以上の固定サブフレームと前記１つ以上のフレキシブルサブフレームとを識別するシグナリングを送信するようにさらに構成される、Ｃ２４に記載の装置。
［Ｃ２７］
前記プロセッサは、前記１つ以上のフレキシブルサブフレーム中の前記少なくとも１つのサブフレームについての前記構造が、前記ＭＢＳＦＮサブフレームに基づくことを示すＵＥ固有のシグナリングを送信するようにさらに構成される、Ｃ２４に記載の装置。
［Ｃ２８］
前記ＭＢＳＦＮサブフレームは、少なくとも１つのセル固有の基準信号（ＣＲＳ）を搬送するレガシー制御領域、および前記ＣＲＳを搬送しない非制御領域を備える、Ｃ２４に記載の装置。
［Ｃ２９］
前記プロセッサは、ダウンリンク送信についてＵＥ固有の復調基準信号（ＤＭ−ＲＳ）を利用するダウンリンク送信モードを決定するようにさらに構成される、Ｃ２４に記載の装置。
［Ｃ３０］
前記プロセッサは、物理ダウンリンク共有チャネル（ＰＤＳＣＨ）または改良された物理ダウンリンク制御チャネル（ＥＰＤＣＣＨ）のうちの少なくとも１つに関して、前記１つ以上のフレキシブルサブフレーム中の前記少なくとも１つのサブフレーム中の開始シンボルを決定するようにさらに構成される、Ｃ２４に記載の装置。